(57)【特許請求の範囲】
【請求項１】
変圧器を使用して単一の入力直流電圧を正及び負の出力直流電圧へ変換する直流／直流変換器、
前記変圧器の一次電流が所定の閾値以上であるか否かに応じて充放電されるコンデンサをもつ積分器、
前記積分器の出力に基づき前記オーディオ信号の振幅を制御する振幅制御部、
前記出力直流電圧を電源として前記振幅制御部からの入力オーディオ信号を増幅するパワーアンプ、
オン、オフにより前記変圧器における第１の方向の一次電流を通過及び遮断する第１のＦＥＴ、
オン、オフにより前記変圧器における第１の方向とは逆方向の一次電流を通過及び遮断する第２のＦＥＴ、
前記第１及び第２のＦＥＴを交互にオンさせるゲート信号を前記第１及び第２のＦＥＴへ供給するＦＥＴ制御部、
オン期間の前記第１及び第２のＦＥＴの端子電圧の対応電圧が印加される対応電圧印加部、及び
前記対応電圧に応じてオン、オフして前記コンデンサの充放電を制御するスイッチング素子、
を備え、
前記第１及び第２のＦＥＴは前記直流／直流変換器の要素であることを特徴とするオーディオ装置。
【請求項２】
前記振幅制御部は、
前記積分器の出力に応じた正側及び負側制限電圧を生成する制限電圧生成器、
オーディオ信号の通過点から正側制限電圧点へ順方向となるように前記通過点及び正側制限電圧点との間に介在する正側ダイオード、及び
負側制限電圧点から前記通過点へ順方向となるように前記通過点及び負側制限電圧点との間に介在する負側ダイオード、
を有することを特徴とする請求項１記載のオーディオ装置。
【請求項３】
前記対応電圧印加部から前記第１及び第２のＦＥＴの方へ順方向となるように、前記対応電圧印加部と前記第１のＦＥＴ及び前記第２のＦＥＴとの間にそれぞれ介在する２つのダイオード、
備えることを特徴とする請求項１又は２記載のオーディオ装置。
【発明の詳細な説明】
【技術分野】
【０００１】
本発明は、オーディオ信号増幅用パワーアンプの給電電圧を生成する直流／直流変換器を装備するオーディオ装置に関する。
【背景技術】
【０００２】
車載用オーディオ装置は、バッテリ電圧からパワーアンプ給電用の電圧を生成する直流／直流変換器を装備する。該直流／直流変換器の定格電力は、バッテリの標準電源電圧の１４．４Ｖに対応して設定するのが好都合であるが、バッテリ電圧は１６．０Ｖになることがあるので、オーディオ装置はバッテリ電圧の１６．０Ｖに対しても動作保証する必要があり、パワーアンプの電力容量は大きめにして設計される。
【０００３】
特許文献１は、パワーアンプ及びその給電電圧用の直流／直流変換器を装備するオーディオ装置を開示する（特許文献１図２）。該オーディオ装置では、音量操作量Ｍが、最小操作量Ｍｍｉｎ、閾値Ｍｔｈｄ及び最大操作量Ｍｍａｘ（Ｍｍｉｎ＜Ｍｔｈｄ＜Ｍｍａｘ）に対し、（ａ）Ｍｍｉｎ≦Ｍ＜Ｍｔｈｄである場合、バッテリ電圧の１４．４Ｖをそのまま二次出力電圧とし（特許文献１段落００３２）、（ｂ）Ｍｔｈｄ≦Ｍ＜Ｍｍａｘである場合は、二次出力電圧を直流／直流変換器の出力電圧の１６．０Ｖに切替え（特許文献１段落００３４）、（ｃ）上記（ｂ）の後、直流／直流変換器の一次電流が最大値より大きくなると、直流／直流変換器の二次電圧を１４．４Ｖと１６．０Ｖとの中間の値へ下げている（特許文献１段落００４２）。
【０００４】
特許文献１は、上記（ｃ）の場合の直流／直流変換器の一次電流の検出の仕方として、一次電流の磁束を検出したり、一次電流の一部を固定抵抗に分流して、該固定抵抗の電圧を測定したりする（特許文献１段落００２５）。
【０００５】
特許文献２は、交流電源からアンプ用電力を生成するアンプ電源、オーディオ信号をＰＷＭ変調信号へ変換するＤＳＰ、及びアンプ電源から電力を供給されるとともにＤＳＰからのオーディオ信号を増幅するパワーアンプを装備するオーディオ装置を開示する（特許文献２図１）。該オーディオ装置では、パワーアンプへの供給電流を検出し、該供給電流について過電流状態が検出されると、過電流状態が解消されるまで、順番に、（ａ）パワーアンプの入力オーディオ信号のピーク圧縮、（ｂ）入力オーディオ信号の減衰、（ｃ）負荷のスピーカ遮断、及び（ｄ）パワーアンプへの給電停止と、段階を進めていく（特許文献２段落００１９〜００２１）。
【０００６】
特許文献３は、バッテリから電力を供給されてオーディオ信号を増幅するパワーアンプを装備するオーディオ装置を開示する（特許文献３図１）。該オーディオ装置では、パワーアンプの２つの電力消費状態におけるパワーアンプの給電電流及び給電電圧を測定して、バッテリの無負荷時電圧及び電源抵抗を算出し（特許文献３の（１）〜（３）式）、次に、無負荷時電圧及び電源抵抗に基づき動作保証最大消費電力を算出し（特許文献３の（４）〜（８）式）、次に動作保証最大消費電力からパワーアンプの入力信号のレベル制限値を計算する（特許文献３の（９）式）。そして、パワーアンプの入力側の信号レベル制御回路を制御して、パワーアンプの入力信号がレベル制限値を超えないようにする（特許文献３段落００７５）。
【先行技術文献】
【特許文献】
【０００７】
【特許文献１】特開２００４−１０４９２２公報
【特許文献２】特開２００３−３７４５２号公報
【特許文献３】特開２００９−２１８４０号公報
【発明の概要】
【発明が解決しようとする課題】
【０００８】
本出願人による特願２００８−９７６３５（以下、「先願１」という。）は、車載バッテリとスピーカとの間に介在するパワーアンプユニットを開示する（先願１図１）。該パワーアンプユニットは、変圧器を使用してバッテリ電圧を正負の複数の直流電圧へ変換する直流／直流変換器、交互にオン、オフして向きの反対の一次電流を生成するＦＥＴ（Field Effect Transistor）対、該ＦＥＴ対のゲート電圧を制御するコントローラ、直流／直流変換器の出力電圧を電源とするパワーアンプ部、及び該パワーアンプ部へ入力するオーディオ信号のミュートを制御するミュート回路を備える。そして、電源オン直後のミュート期間におけるＦＥＴ対−グラント間を流れる一次電流を監視し、過常な一次電流を検出すると、コントローラへ電源停止制御信号を送って、直流／直流変換器の作動を停止させ、直流／直流変換器やパワーアンプが大電流により損傷するのを防止している（先願１段落００１９）。
【０００９】
本出願人による特願２００８−３１６９３１（以下、「先願２」という。）は、パワーアンプ、該パワーアンプの温度を検出する温度検出回路（例：サーミスタ）、及びパワーアンプへ入力するオーディオ信号の振幅を温度検出回路の出力に基づき制限するソフトクリッパー回路を装備するオーディオ装置を開示する（先願２図１）。ソフトクリッパー回路は、具体的には、パワーアンプの温度上昇に伴いそれぞれ下降及び上昇する正側制限電圧及び負側制限電圧を生成する生成回路と、パワーアンプへのオーディオ信号の通過点から正側制限電圧点の方へ及び負側制限電圧点からオーディオ信号の入力点の方へ順方向となるように接続された２つのダイオードとを備える。
【００１０】
特許文献１のオーディオ装置は、直流／直流変換器の出力電圧を１６．０Ｖにしている期間に、直流／直流変換器の一次電流が最大値より大きくなると、直流／直流変換器の出力電圧を１６．０Ｖより低い値へ下げる。特許文献１のオーディオ装置は、１０Ａのヒューズを使用して、一次電流が１０Ａを超えるのを回避しており（特許文献１段落００７２〜００７４）、一次電流が約５０Ａに達するハイパワーアンプへの適用は意図していない。また、パワーアンプによっては、給電圧（直流／直流変換器の出力電圧）が下がると、作動に支障が生じることがある。さらに、直流／直流変換器の一次電流を検出するためには、磁束計や分流回路が必要になる。
【００１１】
バッテリ電圧は常時の１４．４Ｖから１６．０Ｖへ上昇することがあり、パワーアンプは、１６．０Ｖのバッテリ電圧に対しても動作保証する必要がある。これに対し、特許文献２のオーディオ装置では、パワーアンプへの供給電流の過電流状態を検出して、過電流状態が解消されるまで、順番に、（ａ）パワーアンプの入力オーディオ信号のピーク圧縮、（ｂ）入力オーディオ信号の減衰、（ｃ）負荷のスピーカ遮断、及び（ｄ）パワーアンプへの給電停止と、段階を進めるが、（ｃ）及び（ｄ）はパワーアンプは作動停止してしまい、パワーアンプの動作を保証する対策とはならない。特許文献２は、パワーアンプの入力オーディオ信号のピーク圧縮及び入力オーディオ信号の減衰について言及しているが、それらを具体的に実現する構成を開示していない。また、パワーアンプへの供給電流（直流／直流変換器の二次電流）を測定するために、特許文献１の直流／直流変換器の一次電流の検出のように、磁束計や分流回路等の電流検出専用の回路を追加する必要がある。
【００１２】
特許文献３のオーディオ装置は、パワーアンプの入力信号レベルを制限することは開示するものの、具体的な制限回路を開示していないとともに、バッテリの無負荷時電圧及び電源抵抗を算出するために、パワーアンプの２つの電力消費状態におけるパワーアンプの給電電流及び給電電圧を測定する必要があり、処理が複雑になる。
【００１３】
先願１はパワーアンプの一次電流を制御するＦＥＴ対を開示するが、先願１の装置は、電源オン直後のミュート期間の異常電流に対処して、異常電流検出時は、直流／直流変換器の作動を停止するものである。バッテリ電圧が正常範囲内の高目になっているときにパワーアンプをその電力容量内に収めて動作保証するものではない。
【００１４】
先願２の装置は、パワーアンプの温度上昇に対処して、パワーアンプへのオーディオ信号の振幅を制限するものである。バッテリ電圧が正常範囲内の高目になっているときにパワーアンプをその電力容量内に収めて動作保証するものではない。
【００１５】
本発明の目的は、直流／直流変換器の低目の入力電圧に対して設定した定格電力に基づき設計したパワーアンプについて直流／直流変換器の入力電圧が正常範囲の高目になったときにも動作保証できるようにしたオーディオ装置を提供することである。
【課題を解決するための手段】
【００１６】
本発明によれば、直流／直流変換器の変圧器の一次電流の増減に対応して充放電する積分器と、パワーアンプへ入力させるオーディオ信号について、その振幅を制限する振幅制御部とを用意する。そして、振幅制御部における振幅の制限値を積分器の出力に基づき制御する。
【００１７】
本発明のオーディオ装置は、変圧器を使用して単一の入力直流電圧を正及び負の出力直流電圧へ変換する直流／直流変換器、前記変圧器の一次電流が所定の閾値以上であるか否かに応じて充放電されるコンデンサをもつ積分器、前記積分器の出力に基づき前記オーディオ信号の振幅を制御する振幅制御部、前記出力直流電圧を電源として前記振幅制御部からの入力オーディオ信号を増幅するパワーアンプ、オン、オフにより前記変圧器における第１の方向の一次電流を通過及び遮断する第１のＦＥＴ、オン、オフにより前記変圧器における第１の方向とは逆方向の一次電流を通過及び遮断する第２のＦＥＴ、前記第１及び第２のＦＥＴを交互にオンさせるゲート信号を前記第１及び第２のＦＥＴへ供給するＦＥＴ制御部、オン期間の前記第１及び第２のＦＥＴの端子電圧の対応電圧が印加される対応電圧印加部、及び前記対応電圧に応じてオン、オフして前記コンデンサの充放電を制御するスイッチング素子、を備え、前記第１及び第２のＦＥＴは前記直流／直流変換器の要素であることを特徴とする。
【発明の効果】
【００１９】
本発明によれば、パワーアンプへ入力させるオーディオ信号について、その振幅を直流／直流変換器の変圧器の一次電流に基づき制御するので、すなわち、パワーアンプの給電圧を下げなくて済むので、パワーアンプの作動を保持することができるととともに、直流／直流変換器の一次電圧が高目になっても、パワーアンプに定格電力を上回る電力がかかるのを抑制することができる。
【図面の簡単な説明】
【００２０】
【図１】車載オーディオシステムの主要部構成図である。
【図２】パワーアンプユニットのＤＣ／ＤＣコンバータ電源を中心にして車載オーディオシステムの主要部の概略構成を示す図である。
【図３】ソフトクリッパー回路及びクリッパー制御回路の詳細な回路図である。
【図４】ソフトクリッパー回路の入出力特性を示す図である。
【図５】ＤＣ／ＤＣコンバータ電源の一部、大電流検出回路及び積分回路を含む範囲の詳細な回路図である。
【図６】図５のＤＣ／ＤＣコンバータ電源及び大電流検出回路の複数の所定点における電圧波形図である。
【図７】変圧器の一次電流と図５の大電流検出回路及び積分回路の複数の所定点における電圧波形図である。
【図８】別の車載オーディオシステムの構成図である。
【図９】図１のオーディオ装置を抽象化したオーディオ装置のブロック図である。
【図１０】図８のオーディオ装置を抽象化したオーディオ装置のブロック図である。
【発明を実施するための形態】
【００２１】
図１は車載オーディオシステム１０の主要部構成図である。車載オーディオシステム１０はパワーアンプユニット１１、センターユニット１２、車載バッテリ１３及びスピーカ１４を備える。センターユニット１２は、ＣＤやラジオ等のオーディオ信号をパワーアンプユニット１１へ送る。パワーアンプユニット１１は車載バッテリ１３から電力の供給を受ける。車載バッテリ１３は、自動車の発電機により充電され、車載オーディオシステム１０だけなく、自動車のエアコンやヘッドライト等の電装品へも電力を供給する。車載バッテリ１３の定格電圧は１４．４Ｖであり、状況によっては１６．０Ｖに上昇する。センターユニット１２は、その電源がオンになると、Ｐ−Ｃｏｎ（パワーコントロール信号）をパワーアンプユニット１１へ送る。
【００２２】
パワーアンプユニット１１において、センターユニット１２からのオーディオ信号はゲイン回路１９に入力され、ゲイン回路１９は、ユーザからの指示音量に対応する利得でオーディオ信号を増幅してから、ソフトクリッパー回路２０へ送る。ソフトクリッパー回路２０の詳細は図３で後述する。パワーアンプ部２１は、ソフトクリッパー回路２０からのオーディオ信号を増幅して、スピーカ１４へ出力し、スピーカ１４は、入力オーディオ信号に対応する音声を出力する。パワーアンプ部２１は例えば約５０Ａのハイパワーアンプとすることができる。
【００２３】
ＤＣ／ＤＣコンバータ電源２５は、車載バッテリ１３から単一電圧を供給され、制御回路２６からのゲート信号によりＦＥＴ（Field Effect Transistor）４４，４５（図２及び図５）のオン、オフを制御されて、単一の入力電圧を正及び負の電圧（±Ｂ。図２参照）へ変換する。±Ｂはパワーアンプ部２１の電源として使用する。
【００２４】
電源コントロール回路２７は、車載オーディオシステム１０の電源スイッチのオンに伴い、センターユニット１２からＰ−Ｃｏｎ信号を入力され、これに伴い、制御回路２６へ制御開始信号を送って、ＤＣ／ＤＣコンバータ電源２５にその作動を開始させる。電源コントロール回路２７は、車載オーディオシステム１０の電源スイッチがオフになって、センターユニット１２からＰ−Ｃｏｎ信号が消失すると、制御回路２６を介してＤＣ／ＤＣコンバータ電源２５の作動を中止させる。
【００２５】
大電流検出回路３１は、ＤＣ／ＤＣコンバータ電源２５の一次電流を監視し、大電流（後述の図７のＬｂより大の電流）の期間と小電流の期間とを区別して積分回路３２の充放電を制御する。積分回路３２の出力はクリッパー制御回路３３へ送られる。温度素子３４はＤＣ／ＤＣコンバータ電源２５の温度を検出し、検出信号をクリッパー制御回路３３へ送る。クリッパー制御回路３３は、積分回路３２及び温度素子３４からの入力信号に基づきソフトクリッパー回路２０及び制御回路２６を制御する。大電流検出回路３１、積分回路３２及びクリッパー制御回路３３については、後述の図３及び図４において詳説する。
【００２６】
過電流等各種異常保護回路３７はパワーアンプ部２１の過電流や温度等を監視し、それらについて異常状態が検出されれば、制御回路２６へ制御信号を送り、制御回路２６を介してＤＣ／ＤＣコンバータ電源２５の作動を停止したりする。
【００２７】
図２はパワーアンプユニット１１のＤＣ／ＤＣコンバータ電源２５を中心にして車載オーディオシステム１０の主要部の概略構成を示す図である。変圧器４２は一次側及び二次側にそれぞれ３つの端子を備える。該３つの端子とは、両端端子及び中間端子である。コンデンサ４３は、＋側端子を車載バッテリ１３の＋側端子と変圧器４２の一次側の中間端子とへ接続され、−側端子をアースへ接続されている。車載バッテリ１３の−側端子はアースへ接続されている。ＦＥＴ４４は、変圧器４２の一次側コイルの一端とアースとの間に介在し、ＦＥＴ４５は変圧器４２の一次側コイルの他端とアースとの間に介在する。
【００２８】
変圧器４２の二次側コイルの両端端子はダイオードブリッジ４９の１対の入力端子へ接続され、中間端子はアースへ接続されている。コンデンサ５０，５１は直列接続され、直列接続の両端は変圧器４２の二次側コイルの１対の出力端子へ接続されている。コンデンサ５１，５２の接続点はアースへ接続されている。ダイオードブリッジ４９は、変圧器４２の交流の二次電流から２つの整流電流を生成し、該２つの整流電流によりそれぞれコンデンサ５０，５１を充電する。これにより、コンデンサ５０，５１の直列接続の両端には±Ｂの電圧がそれぞれ生成される。±ＢはＡＶＲ（直流安定化電源回路）５４，５５へ供給されて、ＡＶＲ５４，５５は±１５Ｖの電圧をそれぞれ生成する。±Ｂ並びにＡＶＲ５４及びＡＶＲ５５の出力電圧はパワーアンプ部２１へその電力用として供給される。
【００２９】
図３はソフトクリッパー回路２０及びクリッパー制御回路３３の詳細な回路図である。図３及び後述の図５の回路図の符号において、Ｒは抵抗、ＴＨはサーミスタ、Ｔｒはトランジスタ、Ｏは演算増幅器、Ｃはコンデンサ、Ｋはコイル、ＦはＦＥＴ（Field Effect Transistor）、Ｄはダイオードをそれぞれ意味する。抵抗及びサーミスタ等の素子名は省略して、符号のみを使って、説明を行う。なお、各素子間の接続は、図３及び図５の記載のとおりであるので、構成の説明は省略する。また、Ｖａ１〜Ｖａ４（図３）、Ｖｂ１〜Ｖｂ９（図５：Ｖｂ６は無し）、Ｖｃ１，Ｖｃ２（図５）は回路上の各点の電圧を示す。Ｉ１は変圧器４２（図２）の一次電流を示す。
【００３０】
図３の説明の前に、図４について説明する。図４はソフトクリッパー回路２０の入出力特性を示す。横軸がソフトクリッパー回路２０に入力される入力信号ＶｉｎのレベルＶｉであり、縦軸がソフトクリッパー回路２０から出力される出力信号ＶｏｕｔのレベルＶｏである。Ｖｏはパワーアンプ部２１の入力でもある。なお、Ｖｉｎ，Ｖｏｕｔは図３のＲ１０４のゲイン回路１９側端子及びＲ１０５側端子の電圧を意味する。
【００３１】
図４において、Ｖｔはソフトクリッパー回路２０によりソフトクリップ処理がなされる場合の出力信号レベルＶｏのピーク値（振幅制限値）である。つまり、出力信号Ｖｏｕｔにおいてはピーク値Ｖｔを上回る部分についてクリップされている。Ｖｐ及びＶｍｉｎはピーク値Ｖｔの最大値及び最小値である。すなわちピーク値Ｖｔは、ソフトクリッパー回路２０の作動により最大ピーク値Ｖｐ及び最小ピーク値Ｖｍｉｎの間で変化する（Ｖｍｉｎ≦Ｖｔ≦Ｖｐ）。ここでは、最大ピーク値Ｖｐとピーク値Ｖｔとの差ΔＶ（＝Ｖｐ−Ｖｔ）をピーク値がＶｔである場合のクリップ量という。最大ピーク値Ｖｐは、パワーアンプ部２１がその設定増幅率を維持して増幅することができる最大入力電圧である。最小ピーク値Ｖｍｉｎとしては、クリップによる音量感の変化を感じさせない範囲内での最低のレベルが該当する。
【００３２】
図３において、検出量入力部６０及びクリップ量指示部６１はクリッパー制御回路３３（図１）を構成する。積分回路３２（図１）の出力電圧は検出量入力部６０のＲ６７とＲ６８との接続点（Ｖａ１の測定点）へ供給される。検出量入力部６０はＴＨ７５を備えるが、ＴＨ７５は、温度素子３４を構成し、ＤＣ／ＤＣコンバータ電源２５の温度を検出する。ＴＨ７５は、高温になるほど、抵抗値を低減させる。クリッパー制御回路３３は、積分回路３２からの出力の他に、ＴＨ７５の出力に応じて、ソフトクリッパー回路２０におけるオーディオ信号の振幅制限を制御するようになっている。なお、ＴＨ７５は、ＤＣ／ＤＣコンバータ電源２５の温度の代わりに、パワーアンプ部２１の温度を検出するものであってもよい。その場合は、前述の先願２のように、図３の回路はパワーアンプ部２１の温度に応じてパワーアンプ部２１へのオーディオ信号の振幅を制御することになる。積分回路３２の出力によるクリッパー制御回路３３の作動説明に先立ち、ＴＨ７５の出力によるパワーアンプ部２１へのオーディオ信号の振幅制御について説明する。
【００３３】
ＴＨ７５の抵抗値は、ＤＣ／ＤＣコンバータ電源２５の温度Ｕ（後述の図６の期間と区別するために、温度については"Ｕ"を、期間については"Ｔ"をそれぞれ使用する。）が温度制限値Ｕｃを下回っている間は、所定値を超えているので、Ｔｒ８０はオン状態である。このため、Ｔｒ８０のエミッタ電圧Ｖａ１はＴｒ７９をオン状態とするまで下降することはなく、Ｔｒ７９はオフ状態を維持する。このとき、Ｔｒ９７、Ｔｒ１１０及びＴｒ１１１はオフ状態にあり、Ｔｒ９７のコレクタ電圧Ｖａ３は６[Ｖ]、Ｔｒ１１０のエミッタ電圧Ｖａ４は５[Ｖ]、Ｔｒ１１１のベース電圧Ｖａ５及びエミッタ電圧Ｖａ６はそれぞれ−６[Ｖ]及び−５[Ｖ]である。
【００３４】
この後、ＤＣ／ＤＣコンバータ電源２５の温度Ｕが温度制限値Ｕｃに達すると、ＴＨ７５の抵抗値は所定値以下となるので、Ｔｒ８０はオフ状態となり、電圧Ｖａ１が下降し、Ｔｒ７９がオン状態となる。さらにＤＣ／ＤＣコンバータ電源２５の温度ＵがＵｃを超えると、ＴＨ７５の抵抗値が減少し、Ｔｒ７９のコレクタ電流が増加し、電圧Ｖａ２が上昇する。すなわち、温度ＵのＵｃからの増大量ΔＵが、電圧Ｖａ２の増大量ΔＶａ２となって現れることになる。このようにしてＴＨ７５は、ＤＣ／ＤＣコンバータ電源２５の温度Ｕが温度制限値Ｕｃ以上の場合に、温度Ｕに応じた電圧Ｖａ２を、温度検出信号として出力する。
【００３５】
ＤＣ／ＤＣコンバータ電源２５の温度ＵがＵｃに達すると、電圧Ｖａ２によってＴｒ９７がオン状態となる。この状態において電圧Ｖａ２がさらに上昇すると、Ｔｒ９７のコレクタ電流が増加してコレクタ−エミッタ間電圧が小さくなり、Ｔｒ９７のコレクタ電圧Ｖａ３が＋６[Ｖ]よりも小さくなるとともに、Ｔｒ１１１のベース電圧Ｖａ５が−６[Ｖ]よりも大きくなる。この電圧Ｖａ３はＲ９１を介してＴｒ１１０のベースに対しプラス側制御電圧として印加される。電圧Ｖａ５はＴｒ１１１のベースに対しマイナス側制御電圧として印加される。このようにして、クリッパー制御回路３３は、ＤＣ／ＤＣコンバータ電源２５の温度Ｕが温度制限値Ｕｃ以上の場合に、ＴＨ７５からの温度検出信号Ｖａ２のレベルに応じたレベルの制御電圧をソフトクリッパー回路２０に出力する。
【００３６】
電圧Ｖａ３が＋６[Ｖ]より小さくなると、Ｔｒ１１０はオン状態となる。そしてＴｒ１１０の特性に従い、電圧Ｖａ３の減少分だけ、電圧Ｖａ４は５[Ｖ]よりも小さくなる。同様に、電圧Ｖａ５が−６[Ｖ]より大きくなると、Ｔｒ１１１はオン状態となる。そして、Ｔｒ１１１の特性に従い、電圧Ｖａ５の増加分だけ、電圧Ｖａ６は−５[Ｖ]よりも大きくなる。すなわち、ＤＣ／ＤＣコンバータ電源２５の温度Ｕが温度制限値Ｕｃ以上の場合には、Ｄ１１５のカソード電圧及びＤ１１６（図３）のアノード電圧は、ＤＣ／ＤＣコンバータ電源２５の温度Ｕの増加に応じて減少及び増加する。これに伴い、Ｄ１１５及びＤ１１６を導通させるＤ１１５及びＤ１１６のアノード及びカソード電圧も減少及び増加する。これに応じて、クリップ量ΔＶが増加する。このようにして、ソフトクリッパー回路２０は、クリッパー制御回路３３からの制御電圧に基づき、ＤＣ／ＤＣコンバータ電源２５の温度Ｕが温度制限値Ｕｃ以上の場合、ＤＣ／ＤＣコンバータ電源２５の温度Ｕが増加するほど、クリップ量ΔＶを増加させ、ピーク値Ｖｔを減少させる。
【００３７】
これによれば、例えば図４に示すように、ピークレベルが最大ピーク値Ｖｐである入力信号の波形１１８が入力された場合、ＤＣ／ＤＣコンバータ電源２５の温度Ｕが温度制限値Ｕｃ以下であれば出力信号の波形１１９のようにクリップされることはないが、ＤＣ／ＤＣコンバータ電源２５の温度Ｕが温度制限値Ｕｃを上回った場合には、波形１２０のように、温度Ｕに対応するクリップ量ΔＶだけクリップされる。クリップの形態は、Ｄ１１５及びＤ１１６の特性により、上述のソフトクリップとなる。最大振幅値Ｖｔは温度Ｕが増加するほど下降し、波形１２１のように、最小値Ｖｍｉｎまで下降することが可能である。最小値ＶｍｉｎはＲ１０２及びＲ１０３により決定することができる。
【００３８】
すなわちＴＨ７５、クリッパー制御回路３３、及びソフトクリッパー回路２０は、ＤＣ／ＤＣコンバータ電源２５の温度が温度制限値Ｕｃを超えて上昇することのないように、ＤＣ／ＤＣコンバータ電源２５の温度が温度制限値Ｕｃに達した場合には、ＤＣ／ＤＣコンバータ電源２５の温度に基づいてクリップ量ΔＶを調整し、ＤＣ／ＤＣコンバータ電源２５の温度を温度制限値Ｕｃに維持させるフィードバック制御を行う。ＴＨ７５が、ＤＣ／ＤＣコンバータ電源２５ではなく、パワーアンプ部２１の温度を検出する場合も、同様である。
【００３９】
ソフトクリッパー回路２０によれば、最小ピーク値Ｖｍｉｎを、クリップによる音量感の変化を感じさせないレベルの範囲内で設定するようにしたため、音量感やパワー感をさほど変化させることなく、オーディオ信号の振幅制限を達成することができる。
【００４０】
また、ピーク値を制限するクリップの形態として、ソフトクリップを行うようにしたため、大音量の入力信号の原型を保ちながら、大音量を楽しむユーザに対して音量感の変化や低域におけるパンチ力の劣化をさほど感じさせることがない。
【００４１】
さらに、ソフトクリッパー回路２０によれば、従来の信号レベルを制限するリミッタ回路（ソフトクリッパーのように、制限レベルの近傍の波形を曲線状にするのではなく、制限レベルで直線的にカットするもの。）において増大する傾向にあり、高域用スピーカであるツイータに対する負荷を増大させ、ツイータの破損を生じさせるおそれのある不要な高周波成分を低減させることができる。
【００４２】
図５はＤＣ／ＤＣコンバータ電源２５の一部、大電流検出回路３１及び積分回路３２を含む範囲の詳細な回路図、図６は図５のＤＣ／ＤＣコンバータ電源２５及び大電流検出回路３１の複数の所定点における電圧波形図である。各素子間の接続は図５に示すとおりであるので、その説明は省略する。図６を参照しつつ、図５の回路の作動について説明する。
【００４３】
制御回路２６は、ＦＥＴ４４，４５のゲート電圧Ｖｂ１，Ｖｂ２を出力する。Ｖｂ１，Ｖｂ２は、図６に示すように、ロー、ハイの２値信号であり、Ｖｂ１，Ｖｂ２のハイの期間Ｔｏｎでは、ＦＥＴ４４，４５はオンになり、Ｖｂ１，Ｖｂ２のローの期間Ｔｏｆｆでは、ＦＥＴ４４，４５はオフになる。Ｔｏｎ＜Ｔｏｆｆであり、Ｔｄ＝Ｔｏｆｆ−Ｔｏｎとすると、ＦＥＴ４４，４５は、交互にオンになるとともに、各Ｔｏｎの前後に、共にオフになるＴｄ（デッドタイム）が存在している。Ｄ１３４，Ｄ１３５のカソード側電圧Ｖｂ５は、Ｖｂ１，Ｖｂ２の内の高い方の電圧に維持される（図６のＶｂ５）。
【００４４】
ＦＥＴ４４，４５のオン、オフに伴い、変圧器４２（図２）の一次電流は通過及び遮断される。ＦＥＴ４４，４５のオン期間では、ＦＥＴ４４，４５のソース電圧Ｖｂ３，Ｖｂ４は下降し、ＦＥＴ４４，４５のオフ期間では、ＦＥＴ４４，４５のソース電圧Ｖｂ３，Ｖｂ４は上昇する（図６のＶｂ３，Ｖｂ４）。ＦＥＴ４４のオン、オフは、変圧器４２における第１の方向の一次電流を通過及び遮断する。ＦＥＴ４５のオン、オフは、変圧器４２における第１の方向とは逆方向の一次電流を通過及び遮断する。換言すれば、逆方向の一次電流とは、第１の方向の一次電流が変圧器４２において作る磁束の向きとは反対向きの磁束を作る一次電流のことである。ＦＥＴ４４，４５のオン期間のソース−ドレイン間のオン抵抗値は一定であるので、ＦＥＴ４４，４５のオン期間では、ＦＥＴ４４，４５のソース側電圧Ｖｂ３，Ｖｂ４は一次電流の増減に応じて増減する（図６のＶｂ３，Ｖｂ４の上向き矢印及び破線）。ＦＥＴ４４，４５のオンからオフへの切替に伴い、その切替直後のデッドタイムＴｄでは、Ｋ１２４，Ｋ１２３には逆方向の誘起電圧が生じて、Ｖｂ４，Ｖｂ３はＦＥＴ４５，ＦＥＴ４４のオン時のＶｂ４，Ｖｂ３よりも下降する（図６のＶｂ４，Ｖｂ３のボトム）。
【００４５】
Ｄ１３６，Ｄ１３７のアノード側の電圧Ｖｂ７は、Ｖｂ３，Ｖｂ４の内の低い方の電圧となり、デッドタイムＴｄを除き一次電流の増減に伴い増減する値となる（図６のＶｂ７の矢印及び波線）。図６のＶｂ７の波形は、説明の便宜上の波形であり（Ｃ１４６がないと仮定したとき波形）、現実は、Ｃ１４６の端子電圧Ｖｂ８となる。
【００４６】
図７は変圧器４２の一次電流と図５の大電流検出回路３１及び積分回路３２の複数の所定点における電圧波形図である。なお、前述の図６の時間軸では、ＦＥＴ４４，４５のゲート信号Ｖｂ１，Ｖｂ２は３０ｋＨｚであって、Ｔｏｎが数十μｓｅｃの大きさで示されているのに対し、図７の時間軸では、ユーザが実際に音楽を聞いている場合に対応させており、Ｐ０〜Ｐ４の時間間隔は数ｍｓｅｃ〜数十ｍｓｅｃである。図７を参照しつつ、図５の回路の作動についての説明を続ける。
【００４７】
図７において、Ｌａは一次電流Ｉ１の定格電流、Ｌｂは一次電流Ｉ１の許容最大電流である（Ｌａ＜Ｌｂ）。Ｉ１には、音楽再生中、数ｍｓｅｃ〜数十ｍｓｅｃの時間単位で上昇する上昇電流Ｐ０〜Ｐ４が出現することがある。Ｐ０，Ｐ４≦Ｌｂであり、Ｐ１，Ｐ２，Ｐ３＞Ｌｂであると想定する。Ｉ１について、ｔ１より前の期間及びｔ３より後の期間は小電流期間であり、ｔ１〜ｔ３の期間は大電流期間である。
【００４８】
時刻ｔ１において、Ｃ１４６の端子電圧Ｖｂ８が所定値以上になるのに伴い、Ｔｒ１４９がオフからオンに切替わり、Ｔｒ１４９のコレクタ電圧Ｖｃ１がハイからローへステップ状に立ち下がる。
【００４９】
Ｖｃ１のハイからローへの切替わりにより、Ｔｒ１５８がオフからオンへ切替わり、Ｃ１６１の出力端子１６４側電圧Ｖｃ２は、Ｔｒ１５８を介する放電により所定の時定数で下降開始する。
【００５０】
時刻ｔ２において、Ｖｃ２は、最小値に達し、以降、その値をＴｒ１５８のオン期間中、保持する。
【００５１】
時刻ｔ３において、Ｃ１４６の端子電圧Ｖｂ８が所定値未満に戻るのに伴い、Ｔｒ１４９がオンからオフに切替わり、Ｔｒ１４９のコレクタ電圧Ｖｃ１がローからハイへステップ状に立ち上がる。
【００５２】
Ｖｃ１のローからハイへの切替わりにより、Ｔｒ１５８がオンからオフかへ切替わり、Ｃ１６１の出力端子１６４側電圧Ｖｃ２は、Ｒ１５３を介する充電電流により所定の時定数で上昇開始する。時刻ｔ４においてＶｃ２は、時刻ｔ１以前の値に復帰して、以降、その値をＴｒ１５８のオフ期間中、保持する。
【００５３】
図７のＶｃ２において、Ｔ１〜Ｔ４の各期間の意味は次のとおりである。
Ｔ１：一次電流Ｉ１＞Ｌｂとなった時からソフトクリッパー回路２０におけるオーディオ信号振幅制限を開始するまでの遅延期間。Ｔ１は、単発大電流のＩ１に対し、オーディオ信号振幅制限開始を保留する時間である。
Ｔ２：ソフトクリッパー回路２０におけるオーディオ信号振幅制限の解除期間。解除期間Ｔ２をかけて、パワーアンプ部２１へのオーディオ信号の振幅制限が徐々に解除されるので、スピーカ１４からの音声の音量は緩やかにクリップ前のものへ緩やかに復帰する。
Ｔ３：ソフトクリッパー回路２０におけるオーディオ信号振幅制限の実施期間。
Ｔ４：ソフトクリッパー回路２０におけるオーディオ信号振幅制限の非実施期間。
【００５４】
Ｖｃ２は、すなわち、積分回路３２の出力端子１６４の電圧は、図３のＶｂ２の箇所へ供給される。一次電流が許容最大電流Ｌｂを超えると、Ｔｒ１５８がオンになり、これに伴い図３のＴｒ７９がオンになる。ＴＨ７５について前述したように、ＤＣ／ＤＣコンバータ電源２５の温度が温度制限値Ｕｃを超えて上昇することのないように、ＤＣ／ＤＣコンバータ電源２５の温度が温度制限値Ｕｃに達した場合には、ソフトクリッパー回路２０において、ＤＣ／ＤＣコンバータ電源２５の温度に基づいてクリップ量ΔＶを調整し、ＤＣ／ＤＣコンバータ電源２５の温度を温度制限値Ｕｃに維持させるフィードバック制御を行う。これと同様に、積分回路３２の出力端子１６４の電圧についても、該電圧が図３のＶｂ２の箇所へ供給された場合、Ｔｒ１５８によるオン、オフは、変圧器４２の一次電流が許容最大電流Ｌｂを超えて上昇することのないように、変圧器４２の一次電流が許容最大電流Ｌｂに達した場合には、ソフトクリッパー回路２０において、変圧器４２の一次電流に基づいてクリップ量ΔＶを調整し、変圧器４２の一次電流を許容最大電流Ｌｂに維持させるフィードバック制御が行われる。
【００５５】
このようなフィードバック制御により、フィードバック制御後の一次電流Ｉ１'は、図７の一番下に示すように、Ｐ１〜Ｐ３においてもＬｂ以下に保持される。
【００５６】
図８は別の車載オーディオシステム２００の構成図である。車載オーディオシステム２００において、車載オーディオシステム１０（図１）の要素と同一の要素は、車載オーディオシステム１０における対応要素に付けた符号と同一の符号で指示して、それらの説明は省略する。
【００５７】
車載オーディオシステム２００はパワーアンプユニット２０１を備える。パワーアンプユニット２０１において、車載オーディオシステム１０（図１）のパワーアンプユニット１１における要素と同一の要素はパワーアンプユニット１１における対応要素と同一符号で指示して、それらの説明は省略する。車載オーディオシステム１０のパワーアンプユニット１１に対するパワーアンプユニット２０１の相違点について説明する。
【００５８】
パワーアンプユニット２０１では、積分回路３２の出力は、クリッパー制御回路３３ではなく、過電流等各種異常保護回路３７へ送られる。過電流等各種異常保護回路３７は、本来的には、パワーアンプ部２１における過電流を検知すると、この検知信号を制御回路２６へ送って、制御回路２６におけるゲート信号の生成を中止させ、これにより、ＤＣ／ＤＣコンバータ電源２５の作動を停止させるものである。
【００５９】
パワーアンプユニット２０１の過電流等各種異常保護回路３７は、さらに、積分回路３２からの入力に基づく検知信号を制御回路２６へ送る。制御回路２６は、過電流等各種異常保護回路３７からの検知信号に対し、Ｔ４，Ｔ１期間（図７のＶｃ２の段を参照）では、正常にＦＥＴ４４，４５のゲートへゲート信号Ｖｂ１，Ｖｂ２を供給し、この結果、ＤＣ／ＤＣコンバータ電源２５は正常に電圧変換を行っている。
【００６０】
Ｔ３期間の開始に伴い、制御回路２６は、ＦＥＴ４４，４５のゲートへのゲート信号Ｖｂ１，Ｖｂ２の供給を中止する。この結果、ＤＣ／ＤＣコンバータ電源２５の出力電圧は０となり、パワーアンプ部２１の作動は停止する。また、Ｖｂ１，Ｖｂ２の供給中止に伴い、大電流検出回路３１の入力が消失し、大電流検出回路３１及び積分回路３２は実質的に作動不能になって、その作動再開が困難になってしまう。そこで、クリッパー制御回路３３は、Ｔ３期間開始から所定時間Ｔｘの経過を測定するとともに（Ｔｘ＜標準的なＴ３か、Ｔｘ≒標準的なＴ３。）、ラッチにＴ３期間開始直後の検知信号を保持して、Ｔｘの間、保持する。
【００６１】
そして、所定時間Ｔｘ経過後に、検知信号を一旦、Ｔ３期間の開始直前のものへ戻してみる。Ｖｃ２が立ち上がらないようであれば、再び、検知信号を、Ｔ３期間の開始直後の戻し、ＤＣ／ＤＣコンバータ電源２５の出力電圧を０にする。これに対し、Ｖｃ２が立ち上がるようであれば、検知信号をＴ３期間の開始直前のものに維持して、制御回路２６にＦＥＴ４４，４５のゲートへのゲート信号Ｖｂ１，Ｖｂ２の供給を再開させ、ＤＣ／ＤＣコンバータ電源２５及びパワーアンプ部２１の作動を再開させる。再開後の過電流等各種異常保護回路３７から制御回路２６への検知信号は作動再開後の積分回路３２の出力に基づくものにする。
【００６２】
図９はオーディオ装置２２０のブロック図である。オーディオ装置２２０の具体例はパワーアンプユニット１１である。オーディオ装置２２０は、直流／直流変換回路２２１、積分器２２２、振幅制御部２２３及びパワーアンプ２２４を備える。
【００６３】
直流／直流変換回路２２１は、変圧器２２６を使用して、単一の入力直流電圧を正及び負の出力直流電圧へ変換する。積分器２２２は、変圧器２２６の一次電流が所定の閾値以上であるか否かに応じて充放電されるコンデンサ２２７をもつ。振幅制御部２２３は、積分器２２２の出力に基づきオーディオ信号の振幅を制御する。パワーアンプ２２４は、出力直流電圧を電源として振幅制御部２２３からの入力オーディオ信号を増幅する。
【００６４】
直流／直流変換回路２２１、積分器２２２、振幅制御部２２３及びパワーアンプ２２４の具体例はそれぞれパワーアンプユニット１１のＤＣ／ＤＣコンバータ電源２５、積分回路３２、クリッパー制御回路３３及びパワーアンプ部２１である。所定の閾値の具体例は図７のＬｂである。
【００６５】
オーディオ装置２２０では、直流／直流変換回路２２１の入力直流電圧が定格値より増大した場合に、直流／直流変換回路２２１からパワーアンプ２２４への給電圧の下降で対処せず、該給電圧は定格に保持しつつ、オーディオ信号の振幅レベルの減少により対処することができる。したがって、パワーアンプ２２４の作動（最大音量）を確保しつつ、パワーアンプ２２４の各素子の電力を定格値内に収めて、パワーアンプ２２４の損傷を防止することができる。
【００６６】
典型的には、直流／直流変換回路２２１が第１及び第２のＦＥＴ２３０，２３１をもち、オーディオ装置２２０は、さらに、ＦＥＴ制御部２３２、対応電圧印加部２３３及びスイッチング素子２３４を備える。第１のＦＥＴ２３０は、オン、オフにより変圧器２２６における第１の方向の一次電流を通過及び遮断する。第２のＦＥＴ２３１は、オン、オフにより変圧器２２６における第１の方向とは逆方向の一次電流を通過及び遮断する。ＦＥＴ制御部２３２は、第１及び第２のＦＥＴ２３０，２３１を交互にオンさせるゲート信号を第１及び第２のＦＥＴ２３０，２３１へ供給する。対応電圧印加部２３３は、オン期間の第１及び第２のＦＥＴ２３０，２３１の端子電圧の対応電圧が印加される。スイッチング素子２３４は、対応電圧に応じてオン、オフしてコンデンサ２２７の充放電を制御する。
【００６７】
第１及び第２のＦＥＴ２３０，２３１及びＦＥＴ制御部２３２の具体例はそれぞれＦＥＴ４４，４５及び制御回路２６（図５）である。対応電圧印加部２３３の具体例はＤ１３６，Ｄ１３７，Ｒ１４１及びＣ１４６である。スイッチング素子２３４の具体例はＴｒ１５８である。
【００６８】
第１及び第２のＦＥＴ２３０，２３１は一定のオン抵抗をもつ。したがって、オン期間における第１及び第２のＦＥＴ２３０，２３１の端子電圧増減は一次電流の増減に対応する。オン期間における第１及び第２のＦＥＴ２３０，２３１の端子電圧を利用して積分器２２２の電圧を生成することにより、一次電流検出用に付加する素子を抑制することができる。
【００６９】
好ましくは、振幅制御部２２３は制限電圧生成器２４０、正側ダイオード２４１及び負側ダイオード２４２を有している。制限電圧生成器２４０は、積分器２２２の出力に応じた正側及び負側制限電圧を生成する。正側ダイオード２４１は、オーディオ信号の通過点から正側制限電圧点へ順方向となるように通過点及び正側制限電圧点との間に介在する。負側ダイオード２４２は、負側制限電圧点から通過点へ順方向となるように通過点及び負側制限電圧点との間に介在する。
【００７０】
制限電圧生成器２４０，正側ダイオード２４１及び負側ダイオード２４２の具体例はそれぞれクリップ量指示部６１、Ｄ１１５，Ｄ１１６（図３）である。オーディオ信号の通過点の具体例は図３のＲ１０４，Ｒ１０５の接続点である。正側ダイオード２４１及び負側ダイオード２４２は、Ｄ１１５，Ｄ１１６について前述したように、オーディオ信号の振幅制限においてソフトクリップ処理を行う。したがって、クリップ直前、すなわち制限レベル到達直前のオーディオ信号は急峻ではなく、滑らかに変化した波形（高周波成分が除去された波形）へ変換され、パワーアンプ２２４の出力は応答性がよくかつ不要高周波ノイズが低減することになる。
【００７１】
典型的には、２つのダイオードが、対応電圧印加部２３３から第１及び第２のＦＥＴ２３０，２３１の方へ順方向となるように、対応電圧印加部２３３と第１及び第２のＦＥＴ２３０，２３１との間にそれぞれ介在する。
【００７２】
該２つのダイオードの具体例はＤ１３６，Ｄ１３７（図５）である。対応電圧印加部２３３には、第１及び第２のＦＥＴ２３０，２３１の端子電圧の内の低い方、すなわちオンになっている方のＦＥＴの端子電圧が印加され、該端子電圧は、ＦＥＴのオン抵抗に一次電流を流したものであり、これにより、該対応電圧印加部２３３に一次電流に関係する電圧を生成することができる。
【００７３】
図１０は別のオーディオ装置２５０のブロック図である。オーディオ装置２５０の具体例は車載オーディオシステム２００（図８）である。オーディオ装置２５０は、直流／直流変換器２５１、パワーアンプ２５２、積分器２５３、ＦＥＴ制御部２５４を備えている。直流／直流変換器２５１は、変圧器２６０と、オン、オフにより変圧器２６０における第１の方向の一次電流を通過及び遮断する第１のＦＥＴ２６１と、オン、オフにより直流／直流変換回路２２１における第１の方向とは逆方向の一次電流を通過及び遮断する第２のＦＥＴ２６２とを有し、変圧器２６０を使用して単一の入力直流電圧を正及び負の出力直流電圧へ変換する。
【００７４】
パワーアンプ２５２は、直流／直流変換器２５１の出力直流電圧を電源として作動し、入力オーディオ信号を増幅する。積分器２５３は、第１及び第２のＦＥＴ２６１，２６２のオン時の一次電流が所定の閾値以上であるか否かに応じて充放電されるコンデンサ２６５をもつ。ＦＥＴ制御部２５４は、第１及び第２のＦＥＴ２６１，２６２を交互にオンさせるゲート信号を積分器２５３の出力に基づき生成して第１及び第２のＦＥＴ２６１，２６２へ供給する。
【００７５】
該オーディオ装置２５０は、直流／直流変換器２５１の一次電流に基づき直流／直流変換器２５１の作動を制御するに当たり、一次電流を検出する構成を簡略化できる。すなわち、一次電流を検出するためには、第１及び第２のＦＥＴ２６１，２６２のオン抵抗を利用するので、分流回路等の追加を省略することができる。
【００７６】
本発明は上述した実施の形態のみに限定されるものではなく、本発明の要旨を逸脱しない範囲において種々の変更（付加及び削除も含む。）が可能であることは言うまでもない。
【００７７】
本明細書は様々な範囲及びレベルの発明を開示している。それら発明は、本明細書で説明した様々な技術的範囲及び具体的レベルの各装置及び各方法だけでなく、拡張ないし一般化の範囲で、各装置及び各方法から独立の作用、効果を奏する１つ又は複数の要素を抽出したものや、１つ又は複数の要素を拡張ないし一般化の範囲で変更したものや、さらに、各装置間及び各方法間で１つ又は複数の要素の組合せを入れ換えたものを含む。
【符号の説明】
【００７８】
２２０：オーディオ装置、２２１：直流／直流変換回路、２２２：積分器、２２３：振幅制御部、２２４：パワーアンプ、２２６：変圧器、２２７：コンデンサ、２３０：第１のＦＥＴ、２３１：第２のＦＥＴ、２３２：ＦＥＴ制御部、２３３：対応電圧印加部、２３４：スイッチング素子、２４０：制限電圧生成器、２４１：正側ダイオード、２４２：負側ダイオード、２５０：オーディオ装置、２５１：直流／直流変換器、２５２：パワーアンプ、２５３：積分器、２５４：ＦＥＴ制御部、２６０：変圧器、２６１：第１のＦＥＴ、２６２：第２のＦＥＴ、２６５：コンデンサ。
【図１】
0005440034.tif 000002
【図２】
0005440034.tif 000003
【図３】
0005440034.tif 000004
【図４】
0005440034.tif 000005
【図５】
0005440034.tif 000006
【図６】
0005440034.tif 000007
【図７】
0005440034.tif 000008
【図８】
0005440034.tif 000009
【図９】
0005440034.tif 000010
【図１０】
0005440034.tif 000011